(57)【要約】【課題】  より小さく、かつ横向きの力に対してより安定しており、多数配置しても無駄なスペースが生じにくい家具を提供する。【解決手段】  空間を平面視において多角形の形状に囲む複数の壁部１１〜１６と、前記多角形の少なくとも一つの辺に前記壁部を設置せずに設けられる出入り口部Ｄと、を備える本体家具部１と、第２の什器２とを備え、前記第２の什器２が前記出入り口部を少なくとも部分的に塞ぐことが可能なつい立部２１を備えて組み合わせ家具を構成する。【選択図】図１４
2020110691.tif 000002
【特許請求の範囲】
【請求項１】
空間を平面視において多角形の形状に囲む複数の壁部と、前記多角形の少なくとも一つの辺に前記壁部を設置せずに設けられる出入り口部と、を備える本体家具部と、
第２の什器と、
を備え、
前記第２の什器は、前記出入り口部を少なくとも部分的に塞ぐことが可能なつい立部を備える
組み合わせ家具。
【請求項２】
前記第２の什器は、キャスタを備える
請求項1に記載の組み合わせ家具。
【発明の詳細な説明】
【技術分野】
【０００１】
本発明は、家具に関するものである。
【背景技術】
【０００２】
仕切り壁によって囲むことにより平面視が多角形のブースを形成し、このブースの内部に机や椅子等を配置して一人用の作業空間とする技術が知られている（例えば、特許文献１。）
【０００３】
一方において、このようなブースをさらに小さく、簡便な形態のものとし、ブースの中において作業等をする者がより集中しやすい環境を作りたいというニーズが存在する。
【０００４】
ここで、ブースを小さくし、かつ簡便な形態にしてゆくと幅が狭い多角形や長円形になり易くなる。このようなブースの短辺方向に外力が加わった場合に、ブースを構成する仕切り壁が倒れやすいものとなっていた。また、不定形の多角形のブースは、多数配置する場合には無駄なスペースを生じやすい。
【先行技術文献】
【特許文献】
【０００５】
【特許文献１】特開２００２−１２９７６４号公報
【発明の概要】
【発明が解決しようとする課題】
【０００６】
本発明が解決しようとする課題は、より小さく、かつ横向きの力に対してより安定しており、多数配置しても無駄なスペースが生じにくい家具を提供することである。
【課題を解決するための手段】
【０００７】
前記課題を解決するため、本発明に係る家具は、空間を平面視において多角形の形状に囲む複数の壁部と、前記多角形の少なくとも一つの辺に前記壁部を設置せずに設けられる出入り口部と、を備える本体家具部と、第２の什器とを備え、前記第２の什器が前記出入り口部を少なくとも部分的に塞ぐことが可能なつい立部を備えていることを特徴とする。
【発明の効果】
【０００８】
本発明によれば、より小さく、かつ横向きの力に対してより安定しており、多数配置しても無駄なスペースが生じにくい家具を提供できるという効果がある。
【図面の簡単な説明】
【０００９】
【図１】第１の実施形態に係る家具の斜視図。
【図２】第１の実施形態に係る家具の正面図。
【図３】第１の実施形態に係る家具の背面図。
【図４】第１の実施形態に係る家具の左側面図。
【図５】第１の実施形態に係る家具の平面図。
【図６】図５におけるＡＡ線断面図。
【図７】可動テーブル２の斜視図。
【図８】可動テーブル２の左側面図。
【図９】可動テーブル２の右側面図。
【図１０】可動テーブル２の平面図。
【図１１】可動テーブル２の正面図。
【図１２】第１の実施形態に係る家具及び可動テーブル２の使用例を示す図。
【図１３】第１の実施形態に係る家具を複数組み合わせて配置した平面図。
【図１４】第２の実施形態に係る家具の斜視図。
【図１５】第２の実施形態に係る家具の正面図。
【図１６】第２の実施形態に係る家具の背面図。
【図１７】第２の実施形態に係る家具の左側面図。
【図１８】第２の実施形態に係る家具の平面図。
【図１９】第２の実施形態に係る家具を複数組み合わせて配置した平面図。
【図２０】第２の実施形態に係る家具の使用例を示す図。
【発明を実施するための形態】
【００１０】
以下、本発明にかかる家具の一実施形態を、図面を参照しながら説明する。
【００１１】
（第１の実施形態）
図１は本実施形態の家具１の斜視図、図２は家具１の正面図、図３は家具１の背面図、図４は家具１の左側面図、図５は家具１の平面図である。
【００１２】
図１から図５に示すように、家具１は、ソファ壁部１２と、右壁部１３と、右前壁部１４と、前方壁部１５と、左前壁部１６と、左壁部１１と、を備える。家具１の下端の床面と接触する部位には家具１を支持する支持部１７が設けられる。
【００１３】
ソファ壁部１２は、什器であるソファ１２Ａの背もたれと一体に構成される。ソファ１２Ａは大人一人が若干の余裕を以て着座できるだけの幅を有する。ソファ壁部１２は、ソファ１２Ａに大人が着座した場合、着座した人の頭の位置よりも上端が上に位置する高さを有する。ソファ壁部１２の床面から上端部までの高さは、大人が傍に立った場合、家具１の内部を見ることができる程度の高さを有する。
【００１４】
右壁部１３は、ソファ１２Ａの着座位置からみてソファ１２Ａの右側に配置される。右壁部１３の床面から上端部までの高さはソファ壁部１２の床面から上端部までの高さと略等しい。
【００１５】
右前壁部１４は、幅方向の一端が右壁部１３の着座方向前端部に接続し、幅方向の他端が前方壁部１５の幅方向一端と接続する。右前壁部１４の床面から上端部までの高さはソファ壁部１２の床面から上端部までの高さと略等しい。
【００１６】
前方壁部１５は、右前壁部１４の幅方向一端と接続し、他端は左前壁部１６の幅方向一端と接続する。前方壁部１５の床面から上端部までの高さはソファ壁部１２の床面から上端部までの高さと略等しい。
【００１７】
左壁部１１は、ソファ１２Ａの着座位置からみてソファ１２Ａの左側に配置される。左壁部１１の床面から上端部までの高さはソファ壁部１２の床面から上端部までの高さと略等しい。
【００１８】
上記のように配置すると、家具１の内部に空間Ｓが形成される。空間Ｓは後述する可動テーブル２を配置するのに十分な広さを有する。
【００１９】
また、左壁部１１及び左前壁部１６は、幅方向の長さが右壁部１３及び右前壁部１４の幅方向の長さより短い。従って、左壁部１１と左前壁部１６との間には開口部が形成される。
【００２０】
図５に示すように、左壁部１１の幅方向の延長線Ｘ１と、左前壁部１６の幅方向の延長線Ｘ２との交点を頂点Ｃ１とすると、頂点Ｃ１を含む家具１の平面視は扁平な六角形をなす。
【００２１】
ソファ壁部１２の幅Ｌ１２と、ソファ壁部１２に対向する前方壁部１５の幅Ｌ１５とは略等しい。右壁部１３の幅Ｌ１３と、右壁部１３に対向する左前壁部１６及び左前壁部１６の延長線Ｘ２の幅Ｌ１６は略等しい。右前壁部１４の幅Ｌ１４と、右前壁部１４に対向する左壁部１１及び左壁部１１の延長線Ｘ１の幅Ｌ１１とは略等しい。ソファ壁部１２の幅Ｌ１２及び前方壁部１５の幅Ｌ１５は、他の各壁部の幅より短い。短辺の長さであるソファ壁部１２の幅Ｌ１２と、ソファ壁部１２に対向する前方壁部１５の幅Ｌ１５とは、隣接する２本の長辺（右壁部１３と右前壁部１４、延長線Ｘ１と延長線Ｘ２）が形成する２つの頂点を結ぶ直線の長さＷ４より短い。
【００２２】
右壁部１３と右前壁部１４とがなす角度θ１は９０°より大きい。角度θ１は１２０°以上１７５°以下が望ましく、１６０°がより望ましい。延長線Ｘ１と延長線Ｘ２がなす角度θ２は角度θ１と等しい。角度θ１及び角度θ２がこれより大きいと倒れやすくなり、これ以上小さいと空間Ｓが狭くなる。
【００２３】
ソファ壁部１２と右壁部１３がなす角度θ３、右前壁部１４と前方壁部１５がなす角度θ４、前方壁部１５と左前壁部１６がなす角度θ５、及びソファ壁部１２と左壁部１１とがなす角度θ６はすべて等しい。角度θ３から角度θ６は９０°より大きい。
【００２４】
上記のような各壁部を配置すると、家具１は平面視において、対向する一組の辺が他の辺より短く、他の互いに長さのひとしい辺は１２０°以上１７５°以下の角度をなす六角形となる。この場合、家具１は平面視において短辺と平行な力が長編に加わった場合でも、長辺は外側に凸となるように組み合わされているため、容易に倒れることがない。
【００２５】
図６は、図５におけるＡＡ線断面図である。図６に示すように、ソファ１２Ａはソファ壁部１２に一体に構成される。ソファ壁部１２はソファ１２Ａの背もたれ部分に壁部を後から取り付けても、ソファ１２Ａと壁部とを一体に形成してもよい。
【００２６】
ソファ１２Ａの背もたれ部１２Ｂは、よりリラックスできるような傾斜がつけられる。また、ソファ１２Ａの足元はテーパ部１２Ｃを有する。このため、後述する可動テーブル２を引き寄せて使用することが可能となり、また着座したときの足元が広くなるため、より多様な姿勢をとることが可能となる。
【００２７】
図７は可動テーブル２の斜視図、図８は可動テーブル２の左側面図、図９は可動テーブル２の右側面図、図１０は可動テーブル２の平面図、図１１は可動テーブル２の正面図である。
【００２８】
図７から図１１に示すように、可動テーブル２は、家具１とは別体に設けられ、つい立部２１と、天板２２と、側板２３と、幕板２４と、キャスタ２５と、を備える。
【００２９】
つい立部２１は天板２２の左側に配置される。つい立部２１は、床面から上端部までの高さがソファ壁部１２の床面から上端部までの高さと等しい。天板２２の前端部２２Ｂとつい立部２１の厚さを合わせた幅Ｗ１は、図５に示す前方壁部１５の内側の幅Ｗ３と略等しい。天板２２の手前側端部２２Ａの幅Ｗ２は、前端部２２Ｂ幅Ｗ１より広く、可動テーブル２を家具１の空間Ｓに配置した場合、ちょうど収まる長さを有する。
【００３０】
図１２は、家具１及び可動テーブル２の使用例を示す図である。図１２に示すように、可動テーブル２は、空間Ｓの内部のソファ１２Ａの前方に、つい立部２１が開口部を塞ぐように配置される。
【００３１】
このように使用すると、つい立部２１により家具１の密閉度が高まり、ソファ１２Ａに着座した作業者はより集中して作業することが可能となる。
【００３２】
家具１にはホワイトボード４０を併せて使用することができる。ホワイトボード４０は、左壁部１１の上端部に着脱可能に形成される。ホワイトボード４０は、マグネットがつく素材により形成されることが望ましい。
【００３３】
図１３は、家具１を複数組み合わせて配置した平面図である。図１３に示すように、家具１は複数組み合わせて配置しても無駄なスペースが生じない。
【００３４】
以上述べたように、本実施形態の家具１は、什器であるソファ１２Ａを備える什器壁部としてのソファ壁部１２と、ソファ壁部１２の着座方向右側に配置され、所定の幅を備える右壁部１３と、右壁部１３の幅Ｌ１３と等しい幅Ｌ１４を有し、右壁部１３と１２０°以上１７５°以下の角度により接続する右前壁部１４と、右前壁部１４に接続し、ソファ壁部１２に対向して配置される前方壁部１５と、前方壁部１５に接続する左前壁部１６と、ソファ壁部１２の着座方向左側に配置される左壁部１１と、を備え、左前壁部１６及び左壁部１１は開口部Ｄを形成し、左前壁部１６と左前壁部１６の延長線Ｘ２を合わせた長さ幅Ｌ１６及び左壁部１１と左壁部１１の延長線Ｘ１を合わせた幅Ｌ１１とは右壁部１３の幅Ｌ１３及び右前壁部１４の幅Ｌ１４と等しく、平面視は六角形となる。
【００３５】
つまり、家具１は、什器（ソファ及びテーブルから一つ以上選択できる什器）を有する什器壁部（ソファ壁部１２）と、少なくとも一つの開口部Ｄを形成して什器を含む空間を囲む複数の壁部（右壁部１３、右前壁部１４、前方壁部１５、左前壁部１６、及び左壁部１１）と、を備え、平面視した前記壁部において、開口部Ｄを塞ぐ仮想線（延長線Ｘ１、延長線Ｘ２）を含む６個の壁の辺が、一組の対向する短辺（ソファ壁部１２、前方壁部１５）と、短辺より長い二組の対向する長辺（右壁部１３と左前壁部１６及び開口部Ｄを塞ぐ延長線Ｘ２、右前壁部１４と左壁部１１及び開口部Ｄを塞ぐ延長線Ｘ１）と、からなり、隣接する２本の長辺がなす角はすべて１２０°以上１７５°以下の同一の角度であり、隣接する長辺と短辺とがなす角はすべて等しい六角形を形成する。
【００３６】
従って、本実施形態によれば、より小さく、かつ横向きの力に対してより安定しており、多数配置しても無駄なスペースが生じにくい家具を提供することができるという効果がある。
【００３７】
本実施形態の家具１は、可動テーブル２との組み合わせ家具として使用できる。家具１（本体家具部）は、内部に第１の什器（例えば、ソファなど。）を有する空間を平面視において多角形の形状に囲む複数の壁部（右壁部１３、右前壁部１４、前方壁部１５、左前壁部１６、及び左壁部１１）と、この多角形の少なくとも一つの辺に、壁部を設置せずに設けられる出入り口部（開口部Ｄ）と、を備える。
【００３８】
可動テーブル２（可動家具部）は、第１の什器と併せて使用される第２の什器（例えば、テーブルなど。）と、この第２の什器に取り付けられ、床面から上端部までの高さが壁部の床面から上端部までの高さと略等しく、出入り口部の幅より狭い幅を有するつい立部２１と、第２の什器に取り付けられるキャスタ２５と、を備える。
【００３９】
この組み合わせ家具によれば、出入り口部を設けつつも、クローズな（閉鎖的な）空間を形成できるという効果がある。従って、この組み合わせ家具の中に入って作業するものは、より集中して作業を行うことができる。
【００４０】
（第２の実施形態）
図１４は本実施形態の家具３の斜視図、図１５は家具３の正面図、図１６は家具３の背面図、図１７は家具３の左側面図、図１８は家具３の平面図である。
【００４１】
図１４から図１８に示すように、家具３は、デスク壁部３２と、右壁部３３と、右前壁部３４と、前方壁部３５と、左前壁部３６と、左壁部３１と、を備える。家具３の下端の床面と接触する部位には家具３を支持する支持部３７が設けられる。
【００４２】
什器壁部であるデスク壁部３２は、壁面と、壁面に係止された什器である机３２Ａと、を含む。机３２Ａの奥側の端部の幅は、壁面の内法と等しい。デスク壁部３２の床面から上端部までの高さは、大人が傍に立った場合、家具３の内部を見ることができる程度の高さを有する。
【００４３】
右壁部３３は、机３２Ａの接地位置からみて机３２Ａの右側に配置される。右壁部３３の床面から上端部までの高さはデスク壁部３２の床面から上端部までの高さと略等しい。
【００４４】
右前壁部３４は、幅方向の一端が右壁部３３の前端部に接続し、幅方向の他端が前方壁部３５の幅方向一端と接続する。右前壁部３４の床面から上端部までの高さはデスク壁部３２の床面から上端部までの高さと略等しい。
【００４５】
左壁部３１は、机３２Ａの接地位置からみて机３２Ａの左側に配置される。左壁部３１の床面から上端部までの高さはデスク壁部３２の床面から上端部までの高さと略等しい。左壁部３１は、端部に前方壁部３５の他端方向に屈曲する屈曲部３１Ａを有する。屈曲部３１Ａの先端は前方壁部３５に達せず、屈曲部３１Ａの延長線Ｘ４の部分は開口部Ｄとなる。
【００４６】
上記のように配置すると、家具３の内部に空間Ｓが形成される。空間Ｓは椅子などを配置するのに十分な広さを有する。
【００４７】
図１８に示すように、屈曲部３１Ａの延長線Ｘ４を含めると、家具３の平面視は扁平な六角形をなす。
【００４８】
デスク壁部３２の幅Ｌ３２と、デスク壁部３２に対向する前方壁部３５の幅Ｌ３５とは略等しい。右壁部３３の幅Ｌ３３と、右壁部３３に対向する屈曲部３１Ａ及び屈曲部３１Ａの延長線Ｘ４の幅Ｌ３６は略等しい。右前壁部３４の幅Ｌ３４と、右前壁部３４に対向する左壁部３１及び左壁部３１の屈曲部３１Ａまでの幅Ｌ３１とは略等しい。デスク壁部３２の幅Ｌ３２及び前方壁部３５の幅Ｌ３５は、他の各壁部の幅より短い。短辺の長さであるデスク壁部３２の幅Ｌ３２と、デスク壁部３２に対向する前方壁部３５の幅Ｌ３５とは、隣接する２本の長辺（右壁部３３と右前壁部３４、延長線Ｘ４及び左壁部３１と屈曲部３１Ａ）が形成する２つの頂点を結ぶ直線の長さＷ５より短い。
【００４９】
右壁部３３と右前壁部３４とがなす角度θ７は９０°より大きい。角度θ７は１２０°以上１７５°以下が望ましく、１６０°がより望ましい。屈曲部３１Ａと左壁部３１がなす角度θ８は角度θ７と等しい。角度θ７及び角度θ８がこれより大きいと倒れやすくなり、これ以上小さいと空間Ｓが狭くなる。
【００５０】
デスク壁部３２と右壁部３３がなす角度θ９、右前壁部３４と前方壁部３５がなす角度θ１０、前方壁部３５と延長線Ｘ４がなす角度θ１１、及びデスク壁部３２と左壁部３１とがなす角度θ１２はすべて等しい。角度θ９から角度θ１２は９０°より大きい。
【００５１】
上記のような各壁部を配置すると、家具３は平面視において、対向する一組の辺が他の辺より短く、他の互いに長さのひとしい辺は１２０°以上１７５°以下の角度をなす六角形となる。この場合、家具３は平面視において短辺と平行な力が長編に加わった場合でも、長辺は外側に凸となるように組み合わされているため、容易に倒れることがない。
【００５２】
図１９は、家具３を複数組み合わせて配置した平面図である。図１９に示すように、家具３は複数組み合わせて配置しても無駄なスペースが生じない。
【００５３】
図２０は、家具３の使用例を示す図である。図２０に示すように、家具１にはホワイトボード４０を併せて使用することができる。ホワイトボード４０は、左壁部１１の上端部に着脱可能に形成される。ホワイトボード４０は、マグネットがつく素材により形成されることが望ましい。空間Ｓには椅子などが配置される。
【００５４】
以上述べたように、本実施形態の家具３は、第１の実施形態の家具１の開口部Ｄを変更し、ソファ１２Ａの代わりに机３２Ａを設置した。
【００５５】
つまり、家具３は、什器（ソファ及びテーブルから一つ以上選択できる什器）を有する什器壁部（デスク壁部３２）と、少なくとも一つの開口部Ｄを形成して什器を含む空間を囲む複数の壁部（右壁部３３、右前壁部３４、前方壁部３５、及び左壁部３１）と、を備え、平面視した前記壁部において、開口部Ｄを塞ぐ仮想線（延長線Ｘ４）を含む６個の壁の辺が、一組の対向する短辺（デスク壁部３２、前方壁部３５）と、短辺より長い二組の対向する長辺（右壁部３３と開口部Ｄを塞ぐ延長線Ｘ４及び屈曲部３１Ａ、右前壁部３４と左壁部３１）と、からなり、隣接する２本の長辺がなす角はすべて１２０°以上１７５°以下の同一の角度であり、隣接する長辺と短辺とがなす角はすべて等しい六角形を形成する。
【００５６】
このように構成しても、本実施形態によれば、より小さく、かつ横向きの力に対してより安定しており、多数配置しても無駄なスペースが生じにくい家具を提供することができるという効果がある。また、家具３においては、座高を調節できる椅子を使用することが可能となるため、より体型にあった姿勢により作業を行うことが可能となるという効果がある。
【符号の説明】
【００５７】
１  家具
２  可動テーブル
３  家具
１１  左壁部
１２  ソファ壁部
１２Ａ  ソファ
１２Ｂ  背もたれ部
１２Ｃ  テーパ部
１３  右壁部
１４  右前壁部
１５  前方壁部
１６  左前壁部
１７  支持部
２１  つい立部
２２  天板
２２Ａ  手前側端部
２２Ｂ  前端部
２３  側板
２４  幕板
２５  キャスタ
３１  左壁部
３１Ａ  屈曲部
３２  デスク壁部
３２Ａ  机
３３  右壁部
３４  右前壁部
３５  前方壁部
３６  左前壁部
３７  支持部
４０  ホワイトボード
Ｄ  開口部
Ｓ  空間
【図１】
2020110691.tif 000003
【図２】
2020110691.tif 000004
【図３】
2020110691.tif 000005
【図４】
2020110691.tif 000006
【図５】
2020110691.tif 000007
【図６】
2020110691.tif 000008
【図７】
2020110691.tif 000009
【図８】
2020110691.tif 000010
【図９】
2020110691.tif 000011
【図１０】
2020110691.tif 000012
【図１１】
2020110691.tif 000013
【図１２】
2020110691.tif 000014
【図１３】
2020110691.tif 000015
【図１４】
2020110691.tif 000016
【図１５】
2020110691.tif 000017
【図１６】
2020110691.tif 000018
【図１７】
2020110691.tif 000019
【図１８】
2020110691.tif 000020
【図１９】
2020110691.tif 000021
【図２０】
2020110691.tif 000022